(57)【要約】【課題】別途バランを使用しなくても、不平衡出力方式の初段の部品に対して平衡入力方式のアンテナ装置を接続できるようにして、アンテナ装置を有する電子機器（通信機器を含む）の小型化及び高性能化を実現させる。【解決手段】複数の誘電体層（Ｓ１〜Ｓ６）が積層、焼成一体化され、かつ、両主面（第２の誘電体層Ｓ２の一主面及び第６の誘電体層Ｓ６の一主面）にそれぞれ内層アース電極１２ａ及び１２ｂが形成された誘電体基板１４の上面（第１の誘電体層Ｓ１の一主面）に、２本のアンテナ電極１８ａ及び１８ｂからなるアンテナ部２０を形成し、誘電体基板１４内に、複数のストリップライン２２、２４及び２６を有する変換部２８と、外部回路と変換部２８とを接続するための接続部３０とを形成し、アンテナ部２０と変換部２８とを一体化して構成する。【選択図】図２
2005210243.tif 000002
【特許請求の範囲】
【請求項１】
複数の誘電体層が積層されて構成された誘電体基板に、平衡入出力方式のアンテナを有するアンテナ部が形成され、
前記誘電体基板内に、ストリップラインを有する不平衡−平衡変換部が形成され、
前記アンテナ部と不平衡−平衡変換部とが一体化されていることを特徴とするアンテナ装置。
【請求項２】
異種材料による複数の誘電体層が積層されて構成された誘電体基板に、平衡入出力方式のアンテナを有するアンテナ部が形成され、
前記誘電体基板内に、ストリップラインを有する不平衡−平衡変換部が形成され、
前記誘電体基板内に、複数の共振器を有する不平衡入出力方式のフィルタ部が形成され、
前記アンテナ部、不平衡−平衡変換部及びフィルタ部とが一体化されていることを特徴とするアンテナ装置。
【請求項３】
請求項１又は２記載のアンテナ装置において、
前記アンテナ部における前記誘電体基板の実効誘電率が、前記不平衡−平衡変換部における前記誘電体基板の実効誘電率よりも高いことを特徴とするアンテナ装置。
【請求項４】
請求項２又は３記載のアンテナ装置において、
前記フィルタ部における前記誘電体基板の実効誘電率が、前記不平衡−平衡変換部における前記誘電体基板の実効誘電率よりも高いことを特徴とするアンテナ装置。
【請求項５】
請求項１〜４のいずれか１項に記載のアンテナ装置において、
前記アンテナ部と前記不平衡−平衡変換部は、前記誘電体基板の上下方向に関し、分離して形成されていることを特徴とするアンテナ装置。
【請求項６】
請求項２〜４のいずれか１項に記載のアンテナ装置において、
前記アンテナ部と前記不平衡−平衡変換部及び前記フィルタ部とが上下方向に分離され、前記フィルタ部と前記不平衡−平衡変換部は、前記誘電体基板の横方向に関し、分離して形成されていることを特徴とするアンテナ装置。
【請求項７】
請求項２〜６のいずれか１項に記載のアンテナ装置において、
前記アンテナ部と前記不平衡−平衡変換部は、前記誘電体基板の上下方向に関し、分離して形成され、
前記フィルタ部と前記不平衡−平衡変換部は、前記誘電体基板の上下方向に関し、分離して形成されていることを特徴とするアンテナ装置。
【請求項８】
請求項１〜７のいずれか１項に記載のアンテナ装置において、
前記アンテナ部が互いに対称に形成される２本のアンテナ電極を有し、
前記不平衡−平衡変換部から導出された２本の平衡入出力端に、それぞれアンテナ電極が接続されていることを特徴とするアンテナ装置。
【請求項９】
請求項８記載のアンテナ装置において、
前記アンテナ電極はミアンダ形状であることを特徴とするアンテナ装置。
【請求項１０】
請求項１〜７記載のアンテナ装置において、
前記アンテナ電極はループ形状であることを特徴とするアンテナ装置。
【請求項１１】
請求項２〜１０のいずれか１項に記載のアンテナ装置において、
前記フィルタ部の入力側及び／又は出力側に前記不平衡−平衡変換部が接続部を通じて接続され、
前記接続部は、前記不平衡−平衡変換部に対し、内層アース電極を隔てて形成され、かつ、前記不平衡−平衡変換部の不平衡入出力部と電気的に接続されていることを特徴とするアンテナ装置。
【請求項１２】
請求項１〜１１のいずれか１項に記載のアンテナ装置において、
前記不平衡−平衡変換部は、
誘電体層の一主面に形成され、一端が前記不平衡−平衡変換部の不平衡入出力部を構成する第１のストリップラインと、
誘電体層の一主面に形成され、かつ、各一端部がそれぞれ対応するアンテナ電極に接続され、各他端部がそれぞれアース電極に接続された第２及び第３のストリップラインとを有することを特徴とするアンテナ装置。
【請求項１３】
請求項１２記載のアンテナ装置において、
前記第２及び第３のストリップラインは、それぞれアンテナ電極との接続点を結ぶ線分の２等分線を中心に線対称となるように形成されていることを特徴とするアンテナ装置。
【請求項１４】
請求項１〜１１のいずれか１項に記載のアンテナ装置において、
前記不平衡−平衡変換部は、
誘電体層の一主面に形成され、一端が前記不平衡−平衡変換部の不平衡入出力部を構成する第１のストリップラインと、
誘電体層の一主面に形成され、かつ、一端が一方のアンテナ電極に接続され、他端がアース電極に接続された第２のストリップラインと、
誘電体層の一主面に形成され、一端が前記第１のストリップラインの他端と接続された第３のストリップラインと、
誘電体層の一主面に形成され、かつ、一端が他方のアンテナ電極に接続され、他端がアース電極に接続された第４のストリップラインとを有することを特徴とするアンテナ装置。
【請求項１５】
請求項１４記載のアンテナ装置において、
前記第２のストリップラインが形成された誘電体層と、前記第３のストリップラインが形成された誘電体層との間に第２の内層アース電極が形成され、
前記第２のストリップラインの他端が前記第２の内層アース電極に接続されていることを特徴とするアンテナ装置。
【請求項１６】
請求項１〜１５のいずれか１項に記載のアンテナ装置において、
前記アンテナ部のインピーダンスが任意の値に設定されていることを特徴とするアンテナ装置。
【発明の詳細な説明】
【技術分野】
【０００１】
本発明は、例えばダイポールアンテナやループアンテナ等の平衡入力方式のアンテナ装置に関する。
【背景技術】
【０００２】
一般に、基本的なアンテナ素子としては、平衡入力方式のダイポールアンテナ及びループアンテナや、不平衡入力方式のモノポールアンテナ及びヘリカルアンテナ等がある。
【０００３】
平衡入力方式のアンテナ装置は、グランド板を利用せず、アンテナ装置自身で励振する構造（グランド板がない状態でアンテナ装置として動作する構造）であり、不平衡入力方式のアンテナ装置は、グランド板を利用して励振する構造である。
【０００４】
これらの不平衡入力のアンテナ装置は、アンテナ装置自身のみでなく、グランド板と一体となってアンテナ装置として動作するため、グランド板のサイズ、アンテナのマウント位置等の影響を受けやすい欠点を持っている。即ち、不平衡入力方式のアンテナ装置を移動体通信機に搭載して使用した場合、通信機の筐体はグランド板として機能するが、グランド板は無限平面ではないため、筐体の形、サイズによってアンテナ装置を調整しなくてはならないという不都合がある。
【０００５】
一方、平衡入力方式のアンテナ装置は、筐体の影響を受けにくく、不平衡入力方式のアンテナ装置よりも調整の手間が少なくて済むという利点がある。また、性能面では、同一の原理で励振する不平衡入力方式のアンテナ装置と比較すると、アンテナ装置自身が大きいため、利得、帯域幅の面で有利になる。
【０００６】
更に、従来では、アンテナ装置の小型化並びに通信機の小型化を図るために、例えば誘電体基板の表面に電極膜によるアンテナ電極を形成したものが多数提案されている（例えば特許文献１、特許文献２及び特許文献３参照）。
【０００７】
【特許文献１】特開平１０−４１７２２号公報
【特許文献２】特開平９−１６２６３３号公報
【特許文献３】特開平１０−３２４１３号公報
【発明の開示】
【発明が解決しようとする課題】
【０００８】
ところで、従来においては、これまで、高周波帯域のアンテナ装置として、不平衡入力方式のアンテナ装置（モノポール、逆Ｆ型モノポール、パッチアンテナ等）が使用されてきた。
【０００９】
その理由は、近年の携帯電話や無線ＬＡＮ等に代表される無線通信では、スイッチやバンドパスフィルタなどのアンテナ装置へ接続される初段の部品の入出力が不平衡だからである。
【００１０】
このような状況で、不平衡出力方式の上述のような初段の部品に平衡入力方式のアンテナ装置を接続する場合は、平衡−不平衡変換器であるバランを別途使用する必要がある。
【００１１】
別途バランを設けると、部品点数の増大、基板占有面積の拡大が生じ、基本的な要求であるアンテナ装置の小型化を実現できないという問題がある。
【００１２】
つまり、現状では、不平衡入力方式のアンテナ装置を使用する方が挿入損失、コストの面で有利になる。
【００１３】
しかしながら、別途バランを使用しなくても平衡入力方式のアンテナ装置を不平衡出力方式の初段の部品（ローノイズアンプやバンドパスフィルタなど）に接続することができれば、平衡入力方式のアンテナ装置が有する利点を十分に発揮させることができ、アンテナ装置の更なる小型化、高性能化を促進させることができることは明らかである。
【００１４】
なお、誘電体基板にアンテナ電極を形成した各種提案例に係るアンテナ装置においては、もっぱらアンテナの形成パターンに関するものであり、初段の部品への接続については何ら問題提起がなされていない。
【００１５】
本発明はこのような課題を考慮してなされたものであり、別途バランを使用しなくても、不平衡出力方式の初段の部品に対して平衡入力方式のアンテナ装置を接続することができ、アンテナ装置を有する電子機器（通信機器を含む）の小型化及び高性能化を実現させることができるアンテナ装置を提供することを目的とする。
【課題を解決するための手段】
【００１６】
本発明に係るアンテナ装置は、異種材料による複数の誘電体層が積層されて構成された誘電体基板に、平衡入出力方式のアンテナを有するアンテナ部が形成され、前記誘電体基板内に、ストリップラインを有する不平衡−平衡変換部が形成され、前記アンテナ部と不平衡−平衡変換部とが一体化されていることを特徴とする。
【００１７】
アンテナ部と不平衡−平衡変換部とを一体化するようにしているため、平衡入出力方式のアンテナ装置を不平衡入出力方式の初段の部品に接続する際に、別途バランを使用する必要がなく、バランの部品コスト、実装コストを省くことができる。また、不平衡−平衡変換部をストリップラインにて形成するようにしたので、不平衡−平衡変換部の実装面積を小さくすることができる。
【００１８】
このように、本発明においては、別途バランを使用しなくても、不平衡出力方式の初段の部品に対して平衡入力方式のアンテナ装置を接続することができ、アンテナ装置を有する電子機器（通信機器を含む）の小型化及び高性能化を実現させることができる。
【００１９】
また、本発明に係るアンテナ装置は、異種材料による複数の誘電体層が積層されて構成された誘電体基板に、平衡入出力方式のアンテナを有するアンテナ部が形成され、前記誘電体基板内に、ストリップラインを有する不平衡−平衡変換部が形成され、前記誘電体基板内に、複数の共振器を有する不平衡入出力方式のフィルタ部が形成され、前記アンテナ部、不平衡−平衡変換部及びフィルタ部とが一体化されていることを特徴とする。
【００２０】
これにより、別途バランを使用しなくても、不平衡出力方式の初段の部品に対して平衡入力方式のアンテナ装置を接続することができることはもちろん、フィルタ部として小型化に有利な１／４波長の共振器にて構成することができ、アンテナ部とフィルタ部とが一体化された部品の小型化を図ることができる。
【００２１】
また、一体化することで、フィルタ部と不平衡−平衡変換部間の特性インピーダンスを特定の値（例えば５０Ω）に設定する必要がなくなり、両者間の特性インピーダンスを任意に決定することができるため、それぞれの設計の自由度を増すことができる。また、両者間の特性インピーダンスを低く設定することができることから、フィルタ部を形成しやすくなり、不平衡−平衡変換部を構成するストリップラインの線幅を広げることができるため、不平衡−平衡変換部の損失も低減できるという効果がある。
【００２２】
そして、前記誘電体基板を、異種材料による複数の誘電体層を積層して構成するようにしているが、この場合、アンテナ部における前記誘電体基板の実効誘電率を、不平衡−平衡変換部における前記誘電体基板の実効誘電率よりも高くすることが好ましい。これにより、アンテナ部での波長短縮効果を利用することができ、設計の自由度を高めることができると共に、不平衡−平衡変換部での浮遊結合を抑制することができる。
【００２３】
また、フィルタ部における前記誘電体基板の実効誘電率を、不平衡−平衡変換部における前記誘電体基板の実効誘電率よりも高くすることが好ましい。これにより、フィルタ部での電極面積の縮小化を図ることができると共に、不平衡−平衡変換部での浮遊結合を抑制することができる。
【００２４】
アンテナ装置の構成例としては、例えば前記アンテナ部と前記不平衡−平衡変換部を、前記誘電体基板の上下方向（複数の誘電体層の積層方向）に関し、分離して形成するようにしてもよい。この場合、アンテナ部と不平衡−平衡変換部との間に、これらアンテナ部と不平衡−平衡変換部間のアイソレーションを目的とした内層アース電極を容易に形成することができ、特性の向上を図ることができる。
【００２５】
なお、前記アンテナ部と前記不平衡−平衡変換部及び前記フィルタ部とを上下方向に分離し、前記フィルタ部と前記不平衡−平衡変換部を、前記誘電体基板の横方向に関し、分離して形成するようにしてもよい。また、前記アンテナ部と前記不平衡−平衡変換部を、前記誘電体基板の上下方向に関し、分離して形成し、前記フィルタ部と前記不平衡−平衡変換部を、前記誘電体基板の上下方向に関し、分離して形成するようにしてもよい。
【００２６】
また、前記アンテナ部が互いに対称に形成される２本のアンテナ電極を有する場合に、前記不平衡−平衡変換部から導出された２本の平衡入出力端に、それぞれアンテナ電極を接続するようにしてもよい。この場合、前記アンテナ電極は、ミアンダ形状であってもよく、ループ形状であってもよい。
【００２７】
また、前記フィルタ部の入力側及び／又は出力側に前記不平衡−平衡変換部が接続部を通じて接続されていてもよい。この場合、前記接続部は、前記不平衡−平衡変換部に対し、内層アース電極を隔てて形成され、かつ、前記不平衡−平衡変換部の不平衡入出力部と電気的に接続されていてもよい。なお、前記内層アース電極は、少なくとも前記フィルタ部と前記不平衡−平衡変換部との間のアイソレーションを目的として形成されていることが好ましい。
【００２８】
一方、前記不平衡−平衡変換部は、誘電体層の一主面に形成され、一端が前記不平衡−平衡変換部の不平衡入出力部を構成する第１のストリップラインと、誘電体層の一主面に形成され、かつ、各一端部がそれぞれ対応するアンテナ電極に接続され、各他端部がそれぞれアース電極に接続された第２及び第３のストリップラインとを有するようにしてもよい。
【００２９】
この場合、前記第２及び第３のストリップラインは、それぞれアンテナ電極との接続点を結ぶ線分の２等分線を中心に線対称となるように形成されていることが好ましい。これにより、アンテナ部の入出力特性のバランスを良好にすることができる。
【００３０】
また、前記不平衡−平衡変換部は、誘電体層の一主面に形成され、一端が前記不平衡−平衡変換部の不平衡入出力部を構成する第１のストリップラインと、誘電体層の一主面に形成され、かつ、一端が一方のアンテナ電極に接続され、他端がアース電極に接続された第２のストリップラインと、誘電体層の一主面に形成され、一端が前記第１のストリップラインの他端と接続された第３のストリップラインと、誘電体層の一主面に形成され、かつ、一端が他方のアンテナ電極に接続され、他端がアース電極に接続された第４のストリップラインとを有するようにしてもよい。
【００３１】
この場合、前記第２のストリップラインが形成された誘電体層と、前記第３のストリップラインが形成された誘電体層との間に第２の内層アース電極を形成し、前記第２のストリップラインの他端を前記第２の内層アース電極に接続するようにしてもよい。
【００３２】
これにより、第１のストリップラインと第２のストリップラインによる一方のカップリングラインと、第３のストリップラインと第４のストリップラインによる他方のカップリングラインとが第２の内層アース電極にて分離された形態となるため、カップリングライン同士での干渉を抑制することができ、不平衡−平衡変換部における入出力特性のバランスを良好にすることができる。
【００３３】
また、アンテナ部と不平衡−平衡変換部間の特性インピーダンスを特定の値（例えば５０Ω）に設定する必要がなくなり、両者間の特性インピーダンスを任意に決定することができる。そのため、アンテナ部の小型化を図ることができ、アンテナ装置並びに該アンテナ装置を実装した通信機器等の小型化を図ることができる。
【発明の効果】
【００３４】
以上説明したように、本発明に係るアンテナ装置によれば、別途バランを使用しなくても、不平衡出力方式の初段の部品に対して平衡入力方式のアンテナ装置を接続することができ、アンテナ装置を有する電子機器（通信機器を含む）の小型化及び高性能化を実現させることができる。
【発明を実施するための最良の形態】
【００３５】
以下、本発明に係るアンテナ装置のいくつかの実施の形態例を図１〜図１５を参照しながら説明する。
【００３６】
まず、第１の実施の形態に係るアンテナ装置１０Ａは、図１に示すように、複数の誘電体層（Ｓ１〜Ｓ６：図２参照）が積層、焼成一体化され、かつ、両主面（第２の誘電体層Ｓ２の一主面及び第６の誘電体層Ｓ６の一主面）にそれぞれ内層アース電極１２ａ及び１２ｂが形成された誘電体基板１４を有する。
【００３７】
そして、誘電体基板１４の上面（第１の誘電体層Ｓ１の一主面）に、図２に示すように、２本のアンテナ電極１８ａ及び１８ｂからなるアンテナ部２０が形成され、誘電体基板１４内に、複数のストリップライン２２、２４及び２６を有する不平衡−平衡変換部（以下、便宜的に変換部２８と記す）と、外部回路と変換部２８とを接続するための接続部３０とが形成されている。ここで、アンテナ部２０を構成する２本のアンテナ電極１８ａ及び１８ｂは共に直線形状を有し、誘電体基板１４の長手方向に沿って、かつ、各開放端が互いに離間する位置となるように第１の誘電体層Ｓ１上に形成されている。
【００３８】
また、誘電体基板１４は、図２に示すように、上から順に、第１の誘電体層Ｓ１〜第６の誘電体層Ｓ６が積み重ねられて構成されている。これら第１〜第６の誘電体層Ｓ１〜Ｓ６は１枚あるいは複数枚の層にて構成される。
【００３９】
アンテナ部２０と変換部２８は、誘電体基板１４上、第１〜第６の誘電体層Ｓ１〜Ｓ６の積層方向上下に分離された領域にそれぞれ形成されている。例えば、図２上、積層方向上部にアンテナ部２０が形成され、積層方向下部に変換部２８が形成され、アンテナ部２０と変換部２８間に接続部３０が形成されている。
【００４０】
つまり、第１の誘電体層Ｓ１にアンテナ部２０が形成され、第３の誘電体層Ｓ３に接続部３０が形成され、第４及び第５の誘電体層Ｓ４及びＳ５にかけて変換部２８が形成されている。なお、第２の誘電体層Ｓ２の一主面に形成されたアース電極１２ａは、アンテナ部２０と変換部２８とのアイソレーションを目的とした内層アース電極としても機能する。
【００４１】
また、このアンテナ装置１０Ａにおいては、図１に示すように、誘電体基板１４の外周面のうち、第１の側面１４ａには、その中央部分に外部回路と接続するための不平衡入出力端子３４が形成され、その両側にアース電極１２ａ及び１２ｂをつなぐアース電極１２ｃが形成されている。これら不平衡入出力端子３４とアース電極（内層アース電極を含む）との間には、それぞれ絶縁をとるための領域が確保されている。
【００４２】
そして、接続部３０は、図２に示すように、第３の誘電体層Ｓ３の一主面に形成された接続電極３６を有して構成され、該接続電極３６は、一端が不平衡入出力端子３４に接続され、他端が第３の誘電体層Ｓ３のほぼ中央部分に位置し、変換部２８の入出力側とビアホール３８を通じて接続されるようになっている。
【００４３】
第４の誘電体層Ｓ４の一主面には、変換部２８を構成する第１のストリップライン２２が形成されている。この第１のストリップライン２２は、上述した接続電極３６の他端に対応する箇所（第１の接続端４０）から渦巻き状に展開され、更に、第１の接続端４０と線対称の位置（第１及び第２の平衡入出力端４２ａ及び４２ｂを結ぶ線分の２等分線ｍを基準とした線対称の位置）に配された終端４４に向かって渦巻き状に収束するような形状とされている。第１の接続端４０と接続電極３６の他端とはビアホール３８を介して電気的に接続されている。
【００４４】
また、第５の誘電体層Ｓ５の一主面には、変換部２８を構成する第２及び第３のストリップライン２４及び２６が形成されている。第２のストリップライン２４は、上述した第１のストリップライン２２における第１の接続端４０に対応する箇所（第２の接続端４６）から第１の平衡入出力端４２ａに向かって渦巻き状に展開された形状を有し、第３のストリップライン２６は、上述した第１のストリップライン２２における終端４４に対応する箇所（第３の接続端４８）から第２の平衡入出力端４２ｂに向かって渦巻き状に展開された形状を有する。
【００４５】
特に、第２及び第３のストリップライン２４及び２６は、その渦巻き状の形状が互いに線対称（前記２等分線ｍを基準とした線対称）とされている。
【００４６】
前記第２及び第３の接続端４６及び４８は、第６の誘電体層Ｓ６の一主面に形成されたアース電極１２ｂにそれぞれビアホール５０及び５２を介して電気的に接続されている。
【００４７】
また、第１の平衡入出力端４２ａは、アンテナ部２０における第１のアンテナ電極１８ａの端部にビアホール５４を通じて電気的に接続され、第２の平衡入出力端４２ｂは、アンテナ部２０における第２のアンテナ電極１８ｂの端部にビアホール５６を通じて電気的に接続されている。
【００４８】
更に、この第１の実施の形態では、誘電体基板１４を構成する複数の誘電体層として、任意に設定した異種材料による第１〜第６の誘電体層Ｓ１〜Ｓ６を使用し、これらの誘電体層Ｓ１〜Ｓ６を積層、焼成一体化するようにしている。
【００４９】
特に、アンテナ部２０が形成される部分の誘電体層（第１の誘電体層Ｓ１）として高誘電率（例えばε＝２５）の誘電体層を使用し、変換部２８が形成される部分の誘電体層（第４及び第５の誘電体層Ｓ４及びＳ５）として低誘電率（例えばε＝７）の誘電体層を使用している。
【００５０】
このように、第１の実施の形態に係るアンテナ装置１０Ａにおいては、誘電体基板１４に、平衡入出力方式のアンテナ部２０を形成し、誘電体基板内１４に、第１〜第３のストリップライン２２、２４及び２６を有する変換部２８を形成し、アンテナ部２０と変換部２８とを一体化するようにしたので、平衡入出力方式のアンテナ装置を不平衡入出力方式の初段の部品に接続する際に、別途バランを使用する必要がなく、バランの部品コスト、実装コストを省くことができる。また、変換部２８を第１〜第３のストリップライン２２、２４及び２６にて形成するようにしたので、変換部２８の実装面積を小さくすることができる。
【００５１】
つまり、この第１の実施の形態においては、別途バランを使用しなくても、不平衡出力方式の初段の部品に対して平衡入力方式のアンテナ装置を接続することができ、アンテナ装置１０Ａを有する電子機器（通信機器を含む）の小型化及び高性能化を実現させることができる。
【００５２】
特に、この第１の実施の形態では、アンテナ部２０が形成される部分の誘電体層と、変換部２８が形成される部分の誘電体層とをそれぞれ異種材料にて構成し、アンテナ部２０が形成される部分の誘電体層の誘電率を、変換部２８が形成される部分の誘電体層の誘電率よりも高くしたので、アンテナ部２０での波長短縮効果を利用することができ、設計の自由度を高めることができると共に、変換部２８での浮遊結合を抑制することができる。
【００５３】
また、第２及び第３のストリップライン２４及び２６は、第１及び第２の平衡入出力端４２ａ及び４２ｂを結ぶ線分の２等分線ｍを中心に線対称となるように形成するようにしたので、アンテナ部２０の入出力特性のバランスを良好にすることができる。
【００５４】
更に、アンテナ部２０と変換部２８間の特性インピーダンスを特定の値（例えば５０Ω）に設定する必要がなくなり、両者間の特性インピーダンスを任意に決定することができる。そのため、アンテナ部２０の小型化を図ることができ、アンテナ装置１０Ａ並びに該アンテナ装置１０Ａを実装した通信機器等の小型化を図ることができる。
【００５５】
次に、第２の実施の形態に係るアンテナ装置１０Ｂについて図３及び図４を参照しながら説明する。なお、第１の実施の形態に係るアンテナ装置１０Ａと対応するものについては同符号を付してその重複説明を省略する。
【００５６】
この第２の実施の形態に係るアンテナ装置１０Ｂは、図４に示すように、上述した第１の実施の形態に係るアンテナ装置１０Ａとほぼ同様の構成を有するが、変換部２８の形成面にアンテナ部２０が形成されている点で異なる。
【００５７】
具体的には、この第２の実施の形態に係るアンテナ装置１０Ｂは、図３及び図４に示すように、複数の誘電体層（Ｓ１〜Ｓ５：図４参照）が積層、焼成一体化され、かつ、両主面（第１の誘電体層Ｓ１の一主面及び第５の誘電体層Ｓ５の一主面）にそれぞれアース電極１２ａ及び１２ｂが形成された誘電体基板１４を有する。また、第２の誘電体層Ｓ２の一主面には接続部３０を構成する接続電極３６が形成され、第３の誘電体層Ｓ３の一主面には変換部２８を構成する第１のストリップライン２２が形成されている。
【００５８】
そして、第４の誘電体層Ｓ４の一主面には、変換部２８を構成する第２及び第３のストリップライン２４及び２６が形成され、更に、第２及び第３のストリップライン２４及び２６からそれぞれ第１及び第２のアンテナ電極１８ａ及び１８ｂが第３の誘電体層Ｓ３の長手方向に沿って形成されている。
【００５９】
この第２の実施の形態に係るアンテナ装置１０Ｂにおいては、上述の第１の実施の形態に係るアンテナ装置１０Ａと同様に、平衡入出力方式のアンテナ装置を不平衡入出力方式の初段の部品に接続する際に、別途バランを使用する必要がなく、バランの部品コスト、実装コストを省くことができる。
【００６０】
特に、変換部２８を構成する第２及び第３のストリップライン２４及び２６の形成面にアンテナ部２０を構成する第１及び第２のアンテナ電極１８ａ及び１８ｂを形成するようにしたので、縦方向のサイズを小さくすることができ、アンテナ装置１０Ｂの更なる小型化を図ることができる。
【００６１】
なお、上述の例では、アンテナ装置１０Ｂのパターン形状として直線形状を示したが、その他、図５に示すように、ミアンダ形状にしてもよいし、図６に示すように、ループ形状のアンテナ電極１８としてもよい。また、図７に示すように、誘電体基板１４の側面のうち、アンテナ電極１８ａ及び１８ｂの開放端と対向する側面に接地電極１９を形成するようにしてもよい。この場合、アンテナ電極の小型化を図ることができる。
【００６２】
次に、第３の実施の形態に係るアンテナ装置１０Ｃについて図８及び図９を参照しながら説明する。なお、図３及び図４と対応するものについては同符号を付してその重複説明を終了する。また、この第３の実施の形態では、アンテナ部２０を通じて信号を空間上に出力する例を主体に説明する。もちろん、この逆の形態も適用できる。
【００６３】
この第３の実施の形態に係るアンテナ装置１０Ｃは、上述した第２の実施の形態に係るアンテナ装置１０Ｂとほぼ同様の構成を有するが、アンテナ部２０と変換部２８に加えてフィルタ部１００が一体化されている点で異なる。
【００６４】
具体的には、この第３の実施の形態に係るアンテナ装置１０Ｃは、図８及び図９に示すように、複数の誘電体層（Ｓ１〜Ｓ１１：図９参照）が積層、焼成一体化され、かつ、両主面（第１の誘電体層Ｓ１の一主面及び第１１の誘電体層Ｓ１１の一主面）にそれぞれアース電極１２ａ及び１２ｂが形成された誘電体基板１４を有する。
【００６５】
誘電体基板１４内には、上述したように、アンテナ部２０と変換部２８に加えて、２つの１／４波長の共振器（入力側共振器並びに出力側共振器）を構成する第１及び第２の入力側共振電極１０２ａ及び１０２ｂ並びに第１及び第２の出力側共振電極１０４ａ及び１０４ｂを有するフィルタ部１００が形成されている。この例では、積層方向に並ぶ第１及び第２の入力側共振電極１０２ａ及び１０２ｂにて１つの入力側共振器が構成され、積層方向に並ぶ第１及び第２の出力側共振電極１０４ａ及び１０４ｂにて１つの出力側共振器が構成されている。
【００６６】
アンテナ部２０、変換部２８及びフィルタ部１００は、誘電体基板１４上、誘電体層Ｓ１〜Ｓ１１の積層方向上下に分離された領域にそれぞれ形成されている。例えば、図９上、積層方向上部にアンテナ部２０及び変換部２８が形成され、積層方向下部にフィルタ部１００が形成され、両者間に接続部３０が形成されている。
【００６７】
つまり、第２及び第３の誘電体層Ｓ２及びＳ３に変換部２８が形成され、第６の誘電体層Ｓ６から第９の誘電体層Ｓ９にかけてフィルタ部１００が形成され、第５及び第６の誘電体層Ｓ５及びＳ６に接続部３０が形成されている。更に、この誘電体基板１４内には、フィルタ部１００と変換部２８とのアイソレーションを目的とした内層アース電極１０６が形成されている。
【００６８】
なお、第２の実施の形態と同様に、変換部２８を構成する第２及び第３のストリップライン２４及び２６からそれぞれアンテナ部２０を構成する第１及び第２のアンテナ電極１８ａ及び１８ｂが第２の誘電体層Ｓ２の長手方向に沿って形成されている。
【００６９】
第１及び第２の入力側共振電極１０２ａ及び１０２ｂ並びに第１及び第２の出力側共振電極１０４ａ及び１０４ｂは、それぞれ２つの１／４波長の共振器を構成することから、各共振電極１０２ａ、１０２ｂ、１０４ａ及び１０４ｂの短絡端が、第１１の誘電体層Ｓ１１の一主面に形成されたアース電極１２ｂにそれぞれビアホール１０８及び１１０を介して接続された形態となっている。
【００７０】
また、このアンテナ装置１０Ｃにおいては、図８に示すように、誘電体基板１４の外周面のうち、第２の側面１４ｂには、その中央部分にフィルタ部１００の不平衡入力端子１１２が形成され、その両側にアース電極１２ａ及び１２ｂ間をつなぐアース電極１２ｄが形成されている。この第２の側面１４ｂの反対側の第１の側面１４ａにも、アース電極１２ａ及び１２ｂ間をつなぐアース電極１２ｃが形成されている。これら不平衡入力端子１１２とアース電極（内層アース電極を含む）との間には、それぞれ絶縁をとるための領域が確保されている。
【００７１】
そして、図９に示すように、第７の誘電体層Ｓ７の一主面には、第１の入力側共振電極１０２ａ及び第１の出力側共振電極１０４ａが形成され、そのうち、第１の入力側共振電極１０２ａの開放端近傍と不平衡入力端子１１２（図８参照）との間に第１のリード電極１１４が形成されている。
【００７２】
第８の誘電体層Ｓ８の一主面には、第２の入力側共振電極１０２ｂ及び第２の出力側共振電極１０４ｂが形成され、そのうち、第２の入力側共振電極１０２ｂの開放端近傍と不平衡入力端子１１２との間に第２のリード電極１１６が形成されている。
【００７３】
第６の誘電体層Ｓ６の一主面には、第４の誘電体層Ｓ４の一主面に形成された内層アース電極１０６にビアホール１１８及び１２０を介して接続され、かつ、それぞれ第１の入力側共振電極１０２ａ及び第１の出力側共振電極１０４ａの各開放端と第６の誘電体層Ｓ６を間に挟んで重なる第１及び第２の内層アース電極１２２及び１２４が形成されている。
【００７４】
また、第６の誘電体層Ｓ６の一主面には、入力側共振器及び出力側共振器間の結合度を調整するための結合調整電極１２６が形成され、更に、第１の出力側共振電極１０４ａと第６の誘電体層Ｓ６を間に挟んで重なる出力容量電極１２８が形成されている。この出力容量電極１２８は、第５の誘電体層Ｓ５に設けられたビアホール１３０を介して接続電極１３２と電気的に接続されるようになっている。
【００７５】
第９の誘電体層Ｓ９の一主面には、第１１の誘電体層Ｓ１１の一主面に形成されたアース電極１２ｂにビアホール１３４及び１３６を介して接続され、かつ、それぞれ第２の入力側共振電極１０２ｂ及び第２の出力側共振電極１０４ｂの各開放端と第８の誘電体層Ｓ８を間に挟んで重なる第３及び第４の内層アース電極１３８及び１４０が形成されている。
【００７６】
第５の誘電体層Ｓ５の一主面には、フィルタ部１００の出力側と変換部２８の入力側とを接続するための接続電極１３２が形成されている。この接続電極１３２は、一端が上述したビアホール１３０に接続され、他端が前記第１の入力側共振電極１０２ａと第５及び第６の誘電体層Ｓ５及びＳ６を間に挟んで重なるように配置され、かつ、変換部２８に通じるビアホール３８と接続されている。上述の出力容量電極１２８、ビアホール１３０及び接続電極１３２にて接続部３０が構成されることになる。
【００７７】
第４の誘電体層Ｓ４の一主面には、内層アース電極１０６が形成されており、この内層アース電極１０６には、ビアホール３８と絶縁をとるための領域、即ち電極膜が形成されていない領域が確保されている。
【００７８】
第３の誘電体層Ｓ３の一主面には、変換部２８を構成する第１のストリップライン２２が形成されている。第２の誘電体層Ｓ２の一主面には、変換部２８を構成する第２及び第３のストリップライン２４及び２６が形成され、更に、第２及び第３のストリップライン２４及び２６からそれぞれ第１及び第２のアンテナ電極１８ａ及び１８ｂが第２の誘電体層Ｓ２の長手方向に沿って延在されている。
【００７９】
このように、第３の実施の形態に係るアンテナ装置１０Ｃにおいては、誘電体基板１４内に、平衡入出力方式のアンテナ部２０と、不平衡入出力方式のフィルタ部１００と、第１〜第３のストリップライン２２、２４及び２６を有する変換部２８とを一体化するようにしたので、フィルタ部１００として小型化に有利な１／４波長の共振器にて構成することができ、１／２波長の共振器を有するアンテナ装置よりも小型化を図ることができる。
【００８０】
また、一体化することで、フィルタ部１００と変換部２８間の特性インピーダンスを特定の値（例えば５０Ω）に設定する必要がなくなり、両者間の特性インピーダンスを任意に決定することができるため、それぞれの設計の自由度を増すことができる。また、両者間の特性インピーダンスを低く設定することができることから、フィルタ部１００を形成しやすくなり、変換部２８を構成するストリップライン２２、２４及び２６の線幅を広げることができるため、変換部２８の損失も低減できるという効果がある。
【００８１】
また、誘電体基板１４のうち、誘電体層の積層方向下部にフィルタ部１００を形成し、積層方向上部に変換部２８を形成するようにしたので、フィルタ部１００と変換部２８との間に、これらフィルタ部１００と変換部２８間のアイソレーションを目的とした内層アース電極１０６を容易に形成することができ、特性の向上を図ることができる。また、変換部２８とフィルタ部１００を誘電体基板１４の上下に配置することで実装面積も低減する。
【００８２】
ところで、第１の出力側共振電極１０４ａと変換部２８とを直接接続するタップ構造とした場合、フィルタ部１００と変換部２８とが通過特性上の減衰域で不要なマッチングを起こし、減衰域で不要なピークが形成されることとなる。しかし、この第３の実施の形態では、第１の出力側共振電極１０４ａに対して出力容量電極１２８を通じ、容量を介してフィルタ部１００と変換部２８とを接続するようにしたので、前記容量にて変換部２８の位相を変え、フィルタ部１００との不要マッチングを抑制することができる。しかも、接続電極１３２をフィルタ部１００側（内層アース電極１０６よりもフィルタ部１００寄り）に形成するようにしたので、通過特性において不要なピークは発生しなくなる。なお、この第３の実施の形態では、フィルタ部１００の共振器をそれぞれ２層の共振電極にて構成したが、それぞれ１層の共振電極で構成してもよい。
【００８３】
次に、第４の実施の形態に係るアンテナ装置１０Ｄについて図１０及び図１１を参照しながら説明する。なお、図８及び図９と対応するものについては同符号を付してその重複説明を終了する。
【００８４】
この第４の実施の形態に係るアンテナ装置１０Ｄは、図１０及び図１１に示すように、複数の誘電体層（Ｓ１〜Ｓ１２：図１０参照）が積層、焼成一体化され、かつ、両主面（第１の誘電体層Ｓ１の一主面及び第１２の誘電体層Ｓ１２の一主面）にそれぞれアース電極１２ａ及び１２ｂが形成された誘電体基板１４を有する。
【００８５】
そして、図１１に示すように、誘電体基板１４のうち、誘電体層Ｓ１〜Ｓ１２の積層方向左部にフィルタ部１００が形成され、積層方向右部に変換部２８及びアンテナ部２０が形成され、更に、積層方向下部に接続部３０が形成されている。
【００８６】
また、図１０に示すように、誘電体基板１４の外周面のうち、第１の側面１４ａには、その中央部分に不平衡入力端子１１２が形成され、その両側にアース電極１２ａ及び１２ｂ間をつなぐアース電極１２ｃが形成されている。第１の側面１４ａの反対側の第２の側面１４ｂにも、アース電極１２ａ及び１２ｂ間をつなぐアース電極１２ｄが形成されている。これら不平衡入力端子１１２とアース電極（内層アース電極を含む）との間には、それぞれ絶縁をとるための領域が確保されている。
【００８７】
まず、フィルタ部１００は、図１１に示すように、第４の誘電体層Ｓ４の一主面に形成された１／４波長の入力側共振器を構成する入力側共振電極１０２と、第８の誘電体層Ｓ８の一主面に形成された１／４波長の出力側共振器を構成する出力側共振電極１０４とを有する。これら共振電極１０２及び１０４は、途中で屈曲されたＬ字状の形状を有し、各短絡端が第１の側面１４ａ（図１０参照）のアース電極１２ｃに接続され、各開放端部分が中間部分よりも幅広に形成されている。
【００８８】
また、第２の誘電体層Ｓ２の一主面には、一端が不平衡入力端子１１２に接続された入力電極１５０が形成されている。この入力電極１５０は第２及び第３の誘電体層Ｓ２及びＳ３間に形成されたビアホール１５２を介して入力側共振電極１０２に電気的に接続されるようになっている。
【００８９】
第３の誘電体層Ｓ３の一主面には、一端がアース電極１２ｃに接続され、第３の誘電体層Ｓ３を間に挟んで入力側共振電極１０２の開放端部分と重なる内層アース電極１５４が形成されている。
【００９０】
第５の誘電体層Ｓ５の一主面には、入力側共振電極１０２と第４の誘電体層Ｓ４を間に挟んで重なり、結合調整電極１２６を構成する第１の電極１２６ａが形成され、更に、一端がアース電極１２ｃに接続され、第４の誘電体層Ｓ４を間に挟んで入力側共振電極１０２の開放端部分と重なる内層アース電極１５６が形成されている。
【００９１】
第７の誘電体層Ｓ７の一主面には、出力側共振電極１０４と第７の誘電体層Ｓ７を間に挟んで重なり、結合調整電極１２６を構成する第２の電極１２６ｂが形成され、更に、一端がアース電極１２ｃに接続され、第７の誘電体層Ｓ７を間に挟んで出力側共振電極１０４の開放端部分と重なる内層アース電極１５８が形成されている。
【００９２】
第９の誘電体層Ｓ９の一主面には、一端がアース電極１２ｃに接続され、第８の誘電体層Ｓ８を間に挟んで出力側共振電極１０４の開放端部分と重なる内層アース電極１６０が形成されている。
【００９３】
なお、結合調整電極１２６は、上述した第１及び第２の電極１２６ａ及び１２６ｂと、第５及び第６の誘電体層Ｓ５及びＳ６にかけて形成され、かつ、前記第１及び第２の電極１２６ａ及び１２６ｂを電気的に接続するビアホール１２６ｃとで構成されている。
【００９４】
一方、変換部２８は、第３、第７及び第１０の誘電体層Ｓ３、Ｓ７及びＳ１０の各一主面に形成され、それぞれアース電極１２ｄに接続された内層アース電極１６２、１６４及び１６６と、第９、第８、第６及び第５の誘電体層Ｓ９、Ｓ８、Ｓ６及びＳ５の一主面に形成された第１〜第４のストリップライン２２、２４、２６及び１６８とを有する。そして、第２及び第４のストリップライン２４及び１６８には、それぞれ誘電体基板１４の長手方向に延在するように形成された第１及び第２のアンテナ電極１８ａ及び１８ｂが接続されている。
【００９５】
第９の誘電体層Ｓ９の一主面に形成された第１のストリップライン２２は、接続部３０に接続される第１の接続端４０から終端４４（誘電体基板１４の第２の側面１４ｂに近接する箇所）にかけて渦巻き状に展開された形状を有する。
【００９６】
第２のストリップライン２４は、第７の誘電体層Ｓ７に形成されたビアホール１７０を介して内層アース電極１６４に接続される第２の接続端４６から第１のアンテナ電極１８ａに向かって渦巻き状に展開された形状を有する。
【００９７】
第３のストリップライン２６は、上述した第１のストリップライン２２の終端４４に対応する箇所（第３の接続端４８）から終端１７２にかけて渦巻き状に収束するような形状を有し、第１のストリップライン２２における終端４４と第３の接続端４８とは、第６〜第８の誘電体層Ｓ６〜Ｓ８にかけて形成されたビアホール１７４を通じて電気的に接続されている。
【００９８】
第４のストリップライン１６８は、第３及び第４の誘電体層Ｓ３及びＳ４にかけて形成されたビアホール１７６を介して内層アース電極１６２に接続される第４の接続端１７８から第２のアンテナ電極１８ｂに向かって渦巻き状に展開された形状を有する。
【００９９】
つまり、この変換部２８は、第１のストリップライン２２と第２のストリップライン２４による一方のカップリングラインと、第３のストリップライン２６と第４のストリップライン１６８による他方のカップリングラインとが内層アース電極１６４にて分離された形態となっている。
【０１００】
接続部３０は、第１０の誘電体層Ｓ１０の一主面に、出力側共振電極１０４の中央部分と対向するように形成された出力容量電極１２８と、第１１の誘電体層Ｓ１１の一主面に形成され、かつ、一端がビアホール１３０を介して出力容量電極１２８に接続され、他端がビアホール３８を介して第１のストリップライン２２における第１の接続端４０に接続された接続電極１３２にて構成されている。なお、第１０の誘電体層Ｓ１０の一主面に形成された内層アース電極１６６には、前記ビアホール３８と絶縁をとるための領域、即ち電極膜が形成されていない領域が確保されている。
【０１０１】
この第４の実施の形態に係るアンテナ装置１０Ｄにおいては、第１の実施の形態に係るアンテナ装置１０Ａと同様に、小型化を有効に図ることができると共に、それぞれの設計の自由度を増すことができる。
【０１０２】
フィルタ部１００と変換部２８とのアイソレーションがとれていないため、両者間の不要な結合のおそれがあるが、変換部２８において、第１及び第２のストリップライン２２及び２４による一方のカップリングラインと、第３及び第４のストリップライン２６及び１６８による他方のカップリングラインとを内層アース電極１６４にて分離する形態にしたため、カップリングライン同士での干渉を抑制することができ、変換部２８における入出力特性のバランスを良好にすることができる。
【０１０３】
次に、第５の実施の形態に係るアンテナ装置１０Ｅについて図１２及び図１３を参照しながら説明する。
【０１０４】
この第５の実施の形態に係るアンテナ装置１０Ｅは、図１２及び図１３に示すように、複数の誘電体層（Ｓ１〜Ｓ１５：図１３参照）が積層、焼成一体化され、かつ、両主面にそれぞれアース電極１２ａ及び１２ｂ（図１２参照）が形成された誘電体基板１４を有する。特に、この第５の実施の形態では、第１〜第１５の誘電体層Ｓ１〜Ｓ１５の各一主面とアース電極１２ａ及び１２ｂの形成面とが直交した関係にある。
【０１０５】
そして、図１３に示すように、誘電体基板１４のうち、誘電体層Ｓ１〜Ｓ１５の積層方向前半部分にフィルタ部１００が形成され、積層方向後半部分にアンテナ部２０と変換部２８が形成され、積層方向中央部分に、接続部３０が形成されている。
【０１０６】
また、図１２に示すように、誘電体基板１４の外周面のうち、第１の側面１４ａの中央部分に不平衡入力端子１１２が形成され、第２の側面１４ｂには、アース電極１２ａ及び１２ｂ間をつなぐアース電極１２ｄが形成されている。更に、不平衡入力端子１１２とアース電極（内層アース電極を含む）との間には、それぞれ絶縁をとるための領域が確保されている。
【０１０７】
まず、フィルタ部１００は、図１３に示すように、第４の誘電体層Ｓ４の一主面に形成された１／４波長の入力側共振器を構成する入力側共振電極１０２と、第７の誘電体層Ｓ７の一主面に形成された１／４波長の出力側共振器を構成する出力側共振電極１０４とを有する。これら共振電極１０２及び１０４の開放端部分は中間部分よりも幅広に形成され、短絡端部分は、上下のアース電極１２ａ及び１２ｂ（図１２参照）に接続されるように二股に分かれた形状となっている。
【０１０８】
また、第２の誘電体層Ｓ２の一主面には入力電極１５０が形成されている。この入力電極１５０は、第１の誘電体層Ｓ１に形成されたビアホール１９０を介して不平衡入力端子１１２に電気的に接続され、第２及び第３の誘電体層Ｓ２及びＳ３にかけて形成されたビアホール１５２を介して入力側共振電極１０２に電気的に接続されている。なお、この入力電極１５０は、インピーダンス調整用の電極であり、この例では５０Ωに調整するようにしている。
【０１０９】
第３の誘電体層Ｓ３の一主面には、両端がそれぞれアース電極１２ａ及び１２ｂに接続され、第３の誘電体層Ｓ３を間に挟んで入力側共振電極１０２の開放端部分と重なる内層アース電極１５４が形成されている。
【０１１０】
第５の誘電体層Ｓ５の一主面には、入力側共振電極１０２と第４の誘電体層Ｓ４を間に挟んで重なり、結合調整電極１２６を構成する第１の電極１２６ａが形成され、更に、両端がそれぞれアース電極１２ａ及び１２ｂに接続され、第４の誘電体層Ｓ４を間に挟んで入力側共振電極１０２の開放端部分と重なる内層アース電極１５６が形成されている。
【０１１１】
第６の誘電体層Ｓ６の一主面には、出力側共振電極１０４と第６の誘電体層Ｓ６を間に挟んで重なり、結合調整電極１２６を構成する第２の電極１２６ｂが形成され、更に、両端がそれぞれアース電極１２ａ及び１２ｂに接続され、第６の誘電体層Ｓ６を間に挟んで出力側共振電極１０４の開放端部分と重なる内層アース電極１５８が形成されている。
【０１１２】
なお、結合調整電極１２６は、上述した第１及び第２の電極１２６ａ及び１２６ｂと、第５の誘電体層Ｓ５に形成され、かつ、前記第１及び第２の電極１２６ａ及び１２６ｂを電気的に接続するビアホール１２６ｃとで構成されている。
【０１１３】
第８の誘電体層Ｓ８の一主面には、両端がそれぞれアース電極１２ａ及び１２ｂに接続され、第７の誘電体層Ｓ７を間に挟んで出力側共振電極１０４の開放端部分と重なる内層アース電極１６０が形成され、更に、出力側共振電極１０４の中央部分に対して第７の誘電体層Ｓ７を間に挟んで重なり、かつ、一端が変換部２８に接続されたほぼＬ字状の接続電極１３２が形成されている。この接続電極１３２は、出力容量電極１２８を兼ねた機能を有し、該接続電極１３２にて接続部３０が構成されている。
【０１１４】
また、第９の誘電体層Ｓ９の一主面には、それぞれアース電極１２ａ及び１２ｂに接続され、フィルタ部１００と変換部２８とのアイソレーションを目的とした内層アース電極１０６が形成されている。
【０１１５】
一方、変換部２８は、第１２及び第１５の誘電体層Ｓ１２及びＳ１５の各一主面に形成され、それぞれアース電極１２ａ及び１２ｂに接続された内層アース電極１６４及び１９２と、第１０、第１１、第１３及び第１４の誘電体層Ｓ１０、Ｓ１１、Ｓ１３及びＳ１４の各一主面に形成された第１〜第４のストリップライン２２、２４、２６及び１６８とを有する。
【０１１６】
第１０の誘電体層Ｓ１０の一主面に形成された第１のストリップライン２２は、第１の接続端４０から終端４４（第１０の誘電体層Ｓ１０のほぼ中央部分）にかけて渦巻き状に収束された形状を有する。第１の接続端４０には第８及び第９の誘電体層Ｓ８及びＳ９にかけて形成されたビアホール３８を介して接続電極１３２が接続されている。
【０１１７】
第２のストリップライン２４は、第２の接続端４６から第１のアンテナ電極１８ａに向かって渦巻き状に展開された形状を有する。第２の接続端４６には第１１の誘電体層Ｓ１１に形成されたビアホール１７０を介して内層アース電極１６４が接続されている。
【０１１８】
第３のストリップライン２６は、上述した第１のストリップライン２２の終端４４に対応する箇所（第３の接続端４８）から終端１７２にかけて渦巻き状に展開されたような形状を有し、前記終端４４と第３の接続端４８とは、第１０〜第１２の誘電体層Ｓ１０〜Ｓ１２にかけて形成されたビアホール１７４を通じて電気的に接続されている。なお、第１２の誘電体層Ｓ１２の一主面に形成された内層アース電極１６４には、前記ビアホール１７４と絶縁をとるための領域、即ち電極膜が形成されていない領域が確保されている。
【０１１９】
第４のストリップライン１６８は、第１４の誘電体層Ｓ１４に形成されたビアホール１７６を介して内層アース電極１９２に接続される第４の接続端１７８から第２のアンテナ電極１８ｂに向かって渦巻き状に展開された形状を有する。
【０１２０】
つまり、この変換部２８においても、上述した第４の実施の形態に係るアンテナ装置１０Ｄの変換部２８と同様に、第１及び第２のストリップライン２２及び２４による一方のカップリングラインと、第３及び第４のストリップライン２６及び１６８による他方のカップリングラインとが内層アース電極１６４にて分離された形態となっている。
【０１２１】
この第５の実施の形態に係るアンテナ装置１０Ｅにおいては、第１の実施の形態に係るアンテナ装置１０Ａと同様に、小型化を有効に図ることができると共に、それぞれの設計の自由度を増すことができる。しかも、フィルタ部１００と変換部２８とのアイソレーションが内層アース電極１０６によって確保されているため、両者間の不要な結合を有効に防止することができる。
【０１２２】
また、変換部２８において、第１及び第２のストリップライン２２及び２４による一方のカップリングラインと、第３及び第４のストリップライン２６及び１６８による他方のカップリングラインとを内層アース電極１６４にて分離する形態にしたため、カップリングライン同士での干渉を抑制することができ、変換部２８における出力特性のバランスを良好にすることができる。
【０１２３】
更に、この第５の実施の形態に係るアンテナ装置１０Ｅにおいては、入力側共振器及び出力側共振器を構成する各共振電極１０２及び１０４の形成面と、アース電極１２ａ及び１２ｂの形成面とが互いに直交しており、また、フィルタ部１００の不平衡入力端子１１２の形成面と、変換部２８を構成する各ストリップライン２２、２４、２６及び１６８の形成面とが互いに平行な関係にあるため、不平衡入力端子１１２と各ストリップライン２２、２４、２６及び１６８とを離れた位置に形成することが可能となり、不平衡入力端子１１２と各ストリップライン２２、２４、２６及び１６８との不要な干渉をなくすことができる。
【０１２４】
次に、第６の実施の形態に係るアンテナ装置１０Ｆについて図１４及び図１５を参照しながら説明する。
【０１２５】
この第６の実施の形態に係るアンテナ装置１０Ｆは、上述した第３〜第５の実施の形態に係るアンテナ装置１０Ｃ〜１０Ｅとは異なり、フィルタ部１００が平衡入力方式で構成されている。
【０１２６】
具体的には、この第６の実施の形態に係るアンテナ装置１０Ｆは、図１４及び図１５に示すように、複数の誘電体層（Ｓ１〜Ｓ１５：図１５参照）が積層、焼成一体化され、かつ、両主面（第１の誘電体層Ｓ１の一主面及び第１５の誘電体層Ｓ１５の一主面）にそれぞれアース電極１２ａ及び１２ｂが形成された誘電体基板１４を有する。
【０１２７】
そして、図１５に示すように、誘電体基板１４のうち、誘電体層Ｓ１〜Ｓ１５の積層方向上部に例えばアンテナ部２０とフィルタ部１００間の平衡−不平衡変換を行う第１の変換部２８Ａが形成され、積層方向下部に例えばフィルタ部１００と外部回路間の不平衡−平衡変換を行う第２の変換部２８Ｂが形成され、更に、積層方向中央部にフィルタ部１００が形成されている。また、第１の変換部２８Ａとフィルタ部１００間には第１の接続部３０Ａが形成され、第２の変換部２８Ｂとフィルタ部１００間には第２の接続部３０Ｂが形成されている。つまり、この第６の実施の形態に係るアンテナ装置１０Ｆは、第３の実施の形態に係るアンテナ装置１０Ｃに第２の変換部２８Ｂ及び第２の接続部３０Ｂが追加された構成を有する。
【０１２８】
従って、第３の実施の形態に係るアンテナ装置１０Ｃと対応する構成部材には同じ符号を付してその重複説明を省略する。また、第１の変換部２８Ａ及び第２の変換部２８Ｂ並びに第１の接続部３０Ａ及び第２の接続部３０Ｂの各構成部材には、「第１の」に対応する部材の符号にＡを付し、「第２の」に対応する部材の符号にＢを付して、これら変換部２８Ａ、２８Ｂ並びに接続部３０Ａ、３０Ｂの重複説明を省略する。
【０１２９】
この第６の実施の形態では、フィルタ部１００の上方に第１の変換部２８Ａが配置されることから、第１の入力側共振電極１０２ａ及び第１の出力側共振電極１０４ａが形成された第７の誘電体層Ｓ７と、第２の入力側共振電極１０２ｂ及び第２の出力側共振電極１０４ｂが形成された第９の誘電体層Ｓ９との間に配置された第８の誘電体層Ｓ８の一主面に結合調整電極１２６を形成するようにしている。
【０１３０】
また、第１及び第２の入力側共振電極１０２ａ及び１０２ｂ間には、各開放端部分を電気的に接続するビアホール２００が形成され、第１及び第２の出力側共振電極１０４ａ及び１０４ｂ間には、各開放端部分を電気的に接続するビアホール２０２が形成されている。
【０１３１】
また、図１４に示すように、誘電体基板１４の外周面のうち、第２の側面１４ｂには、中央部分にアース電極１２ａ及び１２ｂ間をつなぐアース電極１２ｄが形成され、その両側に第１及び第２の平衡入力端子１１２ａ及び１１２ｂが形成されている。第１の側面１４ａにも、その中央部分にアース電極１２ａ及び１２ｂをつなぐアース電極１２ｃが形成されている。これら第１及び第２の平衡入力端子１１２ａ及び１１２ｂとアース電極（内層アース電極を含む）との間には、それぞれ絶縁をとるための領域が確保されている。
【０１３２】
この第６の実施の形態に係るアンテナ装置１０Ｆにおいては、１／４波長の共振器を用いた平衡入出力方式の積層型誘電体フィルタを有するアンテナ装置を容易に作製することができると共に、該アンテナ装置１０Ｆの小型化をも図ることができる。
【０１３３】
なお、この発明に係るアンテナ装置は、上述の実施の形態に限らず、この発明の要旨を逸脱することなく、種々の構成を採り得ることはもちろんである。また、第３〜第６の実施の形態に係るアンテナ装置１０Ｃ〜１０Ｆでは、フィルタ部１００に２つの共振器を用いているが、１つ以上の共振器であればよい。
【図面の簡単な説明】
【０１３４】
【図１】第１の実施の形態に係るアンテナ装置を示す斜視図である。
【図２】第１の実施の形態に係るアンテナ装置を示す分解斜視図である。
【図３】第２の実施の形態に係るアンテナ装置を示す斜視図である。
【図４】第２の実施の形態に係るアンテナ装置を示す分解斜視図である。
【図５】アンテナ電極の他の形状を示す斜視図である。
【図６】アンテナ電極の更に他の形状を示す斜視図である。
【図７】アンテナ電極の開放端に対向して接地電極を形成した例を示す斜視図である。
【図８】第３の実施の形態に係るアンテナ装置を示す斜視図である。
【図９】第３の実施の形態に係るアンテナ装置を示す分解斜視図である。
【図１０】第４の実施の形態に係るアンテナ装置を示す斜視図である。
【図１１】第４の実施の形態に係るアンテナ装置を示す分解斜視図である。
【図１２】第５の実施の形態に係るアンテナ装置を示す斜視図である。
【図１３】第５の実施の形態に係るアンテナ装置を示す分解斜視図である。
【図１４】第６の実施の形態に係るアンテナ装置を示す斜視図である。
【図１５】第６の実施の形態に係るアンテナ装置を示す分解斜視図である。
【符号の説明】
【０１３５】
１０Ａ〜１０Ｆ…アンテナ装置            １２ａ〜１２ｄ…アース電極
１４…誘電体基板                        １８ａ…第１のアンテナ電極
１８ｂ…第２のアンテナ電極              ２０…アンテナ部
２２…第１のストリップライン            ２４…第２のストリップライン
２６…第３のストリップライン            ２８、２８Ａ、２８Ｂ…変換部
３０、３０Ａ、３０Ｂ…接続部            ３４…不平衡入出力端子
３６…接続電極                          ４２ａ…第１の平衡入出力端
４２ｂ…第２の平衡入出力端              １００…フィルタ部
１０２ａ…第１の入力側共振電極          １０２ｂ…第２の入力側共振電極
１０４ａ…第１の出力側共振電極          １０４ｂ…第２の出力側共振電極
１１２…不平衡入力端子                  １２８…出力容量電極
１３２…接続電極                        １６８…第４のストリップライン
【図１】
2005210243.tif 000003
【図２】
2005210243.tif 000004
【図３】
2005210243.tif 000005
【図４】
2005210243.tif 000006
【図５】
2005210243.tif 000007
【図６】
2005210243.tif 000008
【図７】
2005210243.tif 000009
【図８】
2005210243.tif 000010
【図９】
2005210243.tif 000011
【図１０】
2005210243.tif 000012
【図１１】
2005210243.tif 000013
【図１２】
2005210243.tif 000014
【図１３】
2005210243.tif 000015
【図１４】
2005210243.tif 000016
【図１５】
2005210243.tif 000017